(57)【特許請求の範囲】
【請求項１】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で維持するよう両アーム先端に係合可能な係合部と、
該係合部と一体的に設けられ、上下面を貫通した所要の大きさで、土や草を下方へ落とすための落とし孔が形成されている受け部材と、
該受け部材の下面側に位置し、可撓性材料で形成されると共に、先端部が前記受け部材の先端から突出するように設けてあり、罠仕掛け時に先端部が仕掛け穴の縁部の受け部に渡して掛止される掛止部材と、該掛止部材に設けられ、前記落とし孔を、下から上方向へ、かつ上下動可能に貫通したペダル部を有するトリガー部とを備える
動物罠用トリガー装置。
【請求項２】
前記ペダル部が、先端部に踏受部を有しており、前記落とし孔の大きさを同踏受部が通り抜けることができるように、同踏受部より大きく形成した
請求項１の動物罠用トリガー装置。
【請求項３】
前記受け部材の長さ方向先端部に、長さ方向へ進退調節可能に設けられ、前記掛止部材の突出長を調節する長さ調節部材を有する
請求項２の動物罠用トリガー装置。
【請求項４】
前記ペダル部の踏受部が、常態において、前記受け部材の先端方向へ上り傾斜して設けられている
請求項２または３の動物罠用トリガー装置。
【請求項５】
付勢体で固定アームと跳上げアームを開く方向に付勢し、固定アームと跳上げアームが開くことにより括り輪が絞られるワイヤロープを有する括り罠本体と、
該括り罠本体の固定アームと跳上げアームを閉じた状態で維持するよう両アーム先端に係合可能な係合部と、該係合部と一体的に設けられ、上下面を貫通した所要の大きさで、土や草を下方へ落とすための落とし孔が形成されている受け部材と、該受け部材の下面側に位置し、可撓性材料で形成されると共に、先端部が前記受け部材の先端から突出するように設けてあり、罠仕掛け時に先端部が仕掛け穴の縁部の受け部に渡して掛止される掛止部材と、該掛止部材に設けられ、前記落とし孔を、下から上方向へ、かつ上下動可能に貫通したペダル部からなるトリガー部を有する動物罠用トリガー装置とを備える
動物罠。
【請求項６】
上部に開口部を有する箱型で、前記括り罠本体を設置する設置部と、前記開口部側に前記括り輪を内掛けするワイヤ掛けを有し、前記受け部は前記設置部と反対側に設けられている仕掛け補助具を備える
請求項５の動物罠。
【発明の詳細な説明】
【技術分野】
【０００１】
本発明は、動物罠用トリガー装置及び動物罠に関するものである。更に詳しくは、動物罠用トリガー装置を足括り罠と組み合わせて仕掛けたときに、トリガー部のペダル部の周りに土や草等が入り込んでも、その土や草が、ペダル部に動物の踏力が作用したときのトリガー部の作動の邪魔になることがない、動物罠用トリガー装置、及びそれを使用した動物罠に関する。
【背景技術】
【０００２】
近年、イノシシ等の野生の動物による農作物の被害は、ますます増加の傾向にあり、自治体等では、これらの動物を人と共存できる適正な頭数に維持するため、一定数を捕獲して処分するようにしている。しかし、例えば動物罠を使用した狩猟を行うには、ある程度の熟練が必要になるが、狩猟に従事する人（猟師）は、高齢化と共に、年々減少しているので、練度の低い猟師、あるいは一般の人でも狩猟対象の動物を効率よく捕獲できるようにすることが望まれている。
【０００３】
動物罠の中で、例えば足括り罠による捕獲率を良くするには、罠が作動したにも関わらず動物の捕獲には失敗する、いわゆる「空作動」を防止する必要がある。足括り罠の空作動は、そのほとんどが、イノシシ等の動物の足がワイヤロープの括り輪で括ることができない位置にあるときに、または足がワイヤロープの括り輪で括ることができる位置にあっても踏力が充分でないときに、罠が作動してしまうことにより起こる。このような罠の空作動を防止または低減するものとしては、例えば本願発明者が提案した特許文献１に記載の動物罠用トリガー装置がある。
【０００４】
上記従来の動物罠用トリガー装置は、足括り罠本体の固定アームと跳上げアームを閉じた状態で両アーム先端に掛止する掛止部と、掛止部と一体的に設けられ、中央または略中央に貫通穴を有する踏部材と、踏部材の下面側に位置し、中央または略中央に貫通穴を下から上へ上下動自在に貫通するトリガー部材を有し、先端部が踏部材の先端から突出するよう設けられ、罠仕掛け時に長さ方向の先端部が仕掛け穴の縁部の受け部に渡された状態で、トリガー部材を介し上方から作用する荷重で変形することにより、受け部に対する先端部の掛止が外れるようにした止め部材を備えており、動物の足がワイヤロープの括り輪で括ることができる位置にあり、かつ充分な踏力を以て踏んだときにのみ、足括り罠を作動させることができるというものである。
【先行技術文献】
【特許文献】
【０００５】
【特許文献１】特開２０１５−１０９８２４号公報
【発明の概要】
【発明が解決しようとする課題】
【０００６】
上記従来の動物罠用トリガー装置は、空作動を防止または低減する点において、背景技術とした特開２００１−１１２３９８号公報に記載のトリガー装置と比較して、充分に有効、かつ有用である。しかしながら、狩猟の現場における実際の使用に伴い、次のような課題があることもわかってきた。
【０００７】
つまり、従来の動物罠用トリガー装置は、例えば従来公報の図１〜図７に示している動物罠用トリガー装置においては、後述するカバー筒を使用しないと、仕掛けたときに、トリガー部の接触体と踏部材との間に、土や草等が入り込んでしまう可能性が高い。こうなると、動物の足がトリガー部の接触体を踏み込んだときに、土や草等が邪魔になって接触体を充分に下降させることができなくなり、踏部材が落ちず、結果的に足括り罠が作動しないことが起こり得る。
【０００８】
この問題の解消のため、上記動物罠用トリガー装置においては、トリガー部の接触体を囲むように、縮小変形が可能なカバー筒を嵌め込むようにしている。これによれば、カバー筒の内部、すなわちトリガー部の接触体と踏部材との間に、土や草が入らないようにすることができる。しかし、実際の使用では、カバー筒自体が、周りの土や草の圧力で内方へ変形することがあり、動物の踏力で上から押し潰される際には、間に入り込んだ土や草と同じように邪魔になる可能性があることがわかった。
【０００９】
本発明は、以上の点を鑑みて創案されたものであり、動物罠用トリガー装置を足括り罠と組み合わせて仕掛けたときに、トリガー部のペダル部の周りに土や草等が入り込んでも、その土や草が、ペダル部に動物の踏力が作用したときのトリガー部の作動の邪魔になることがない、動物罠用トリガー装置、及びそれを使用した動物罠を提供することを目的とするものである。
【課題を解決するための手段】
【００１０】
（１）上記の目的を達成するために本発明の動物罠用トリガー装置は、付勢体で固定アームと跳上げアームを開く方向に付勢し、固定アームと跳上げアームが開くことにより括り輪が絞られるワイヤロープを有する括り罠本体の固定アームと跳上げアームを閉じた状態で維持するよう両アーム先端に係合可能な係合部と、該係合部と一体的に設けられ、上下面を貫通した所要の大きさで、土や草を下方へ落とすための落とし孔が形成されている受け部材と、該受け部材の下面側に位置し、可撓性材料で形成されると共に、先端部が前記受け部材の先端から突出するように設けてあり、罠仕掛け時に先端部が仕掛け穴の縁部の受け部に渡して掛止される掛止部材と、該掛止部材に設けられ、前記落とし孔を、下から上方向へ、かつ上下動可能に貫通したペダル部を有するトリガー部とを備えている。
【００１１】
（２）本発明の動物罠用トリガー装置は、前記ペダル部が、先端部に踏受部を有しており、前記落とし孔の大きさを同踏受部が通り抜けることができるように、同踏受部より大きく形成した構成とすることもできる。
【００１２】
この場合は、落とし孔の大きさを占めるように落とし孔を通して掛止部材に乗っていた土や草は、掛止部材が下方へ移動するのに伴って、開口する落とし孔からペダル部の踏受部によって押されながら落とし孔を通って下方へ落ちる。このように、仕掛けたときに、踏受部の下方にあった土や草は、踏受部が下方へ移動しても邪魔にならないので、結果的にペダル部が動物の踏力によって下降する際の邪魔になりにくく、括り罠本体を円滑に作動させることができる。
【００１３】
また、ペダル部の踏受部は、トリガー部の下降に伴い、落とし孔を通り抜けることができるので、トリガー部の落ち量が大きくなって、掛止部材の受け部との掛止がより確実に解除できる。更に、この場合は、係合部と一体になった受け部材も動物の足が接触して落ちることが多いので、係合部による括り罠本体の両アーム先端に対する係合が瞬時に解除され、括り罠本体がタイミングよく作動して動物をより確実に捕獲することができる。
【００１４】
（３）本発明の動物罠用トリガー装置は、前記受け部材の長さ方向先端部に、長さ方向へ進退調節可能に設けられ、前記掛止部材の突出長を調節する長さ調節部材を有する構成とすることもできる。
【００１５】
この場合は、掛止部材の受け部材の長さ方向先端部からの突出長さを調節することができる。つまり、掛止部材の突出した部分は、受け部に掛止されることで、受け部材及び掛止部材に作用する荷重を支える部分であり、この部分において、受け部材の長さ方向先端と受け部の縁との間の間隔（スパン）が長くなるほど変形に対する剛性がより低くなって変形しやすくなり、短くなるほど剛性が高くなって変形しにくくなる。したがって、受け部材に設けられた長さ調節部材の長さを調節することにより、受け部に対する掛止部材の先端部の掛止が外れる感度を調節することが可能になる。
【００１６】
（４）本発明の動物罠用トリガー装置は、前記ペダル部の踏受部が、常態において、前記受け部材の先端方向へ上り傾斜して設けられている構成とすることもできる。
【００１７】
この場合は、ペダル部の踏受部は、動物の足が踏受部を踏み、トリガー部が落ちると共に、受け部材が係合部側を中心として回動しながら落ちる際に、踏受部の上面に接触した動物の足が滑りにくく、掛かりやすい方向へ傾斜している。これにより、ペダル部は動物の足でより深く踏み込まれることになり、足括り罠がより確実に作動し、捕獲率も向上する。
【００１８】
（５）上記の目的を達成するために本発明の動物罠は、付勢体で固定アームと跳上げアームを開く方向に付勢し、固定アームと跳上げアームが開くことにより括り輪が絞られるワイヤロープを有する括り罠本体と、該括り罠本体の固定アームと跳上げアームを閉じた状態で維持するよう両アーム先端に係合可能な係合部と、該係合部と一体的に設けられ、上下面を貫通した所要の大きさで、土や草を下方へ落とすための落とし孔が形成されている受け部材と、該受け部材の下面側に位置し、可撓性材料で形成されると共に、先端部が前記受け部材の先端から突出するように設けてあり、罠仕掛け時に先端部が仕掛け穴の縁部の受け部に渡して掛止される掛止部材と、該掛止部材に設けられ、前記落とし孔を、下から上方向へ、かつ上下動可能に貫通したペダル部からなるトリガー部を有する動物罠用トリガー装置とを備えている。
【００１９】
ここで、本発明の動物罠用トリガー装置及び動物罠の作用を説明する。
動物罠用トリガー装置は、括り罠本体の固定アームと跳上げアームを付勢力に抗して閉じ、係合部で固定アームと跳上げアームの先端を係合して閉じた状態を維持できるようにして、獣道等に掘った穴にセットされ、上記両アームが開くことにより絞られるワイヤロープの括り輪を、先端部が仕掛け穴の縁部の受け部に渡された掛止部材を囲むようにして仕掛けられる。この際、受け部材の上には、罠のカムフラージュのために、あるいは金属臭をやわらげるために、土や草が被せられる。
【００２０】
そして、獣道を移動する動物の足がワイヤロープの括り輪の内側の動物罠用トリガー装置のペダル部を充分な踏力を以て踏んだときは、上方から荷重が作用することで掛止部材が撓むように変形し、掛止部材の先端部が後退して、受け部に対する掛止が外れて、トリガー部は下に落ちる。上記掛止部材が撓むように変形するとき、仕掛け時においては、落とし孔の大きさを占めるように落とし孔を通して掛止部材に乗っていた土や草は、掛止部材が下方へ移動するのに伴って、開口する落とし孔から下方へ落ちるので、ペダル部が動物の踏力によって下降する際の邪魔になりにくい。
【００２１】
また、これに伴い、動物罠用トリガー装置の受け部材が係合部と共に下方へ移動し、係合部の両アーム先端に対する係合が解除されて括り罠本体が作動する。このとき、動物の足が、括り輪で括ることができる位置で、充分な踏力を以て踏んでいるので、足が仕掛け穴に深く入り、ワイヤロープの括り輪で脚の元部が括られるため、動物をより確実に捕獲することができる。また、動物の足が括り輪の内側を充分でない踏力を以て踏んだときには、上方から荷重が作用しても掛止部材が充分に変形しないので、受け部に対する掛止部材の先端部の掛止が外れない。
【００２２】
更には、動物の足が動物罠用トリガー装置のペダル部を踏まず、受け部材の部分を強い踏力で踏んだときには、トリガー部に変形等の影響がほとんど生じないため、トリガー部が落ちることもなく、受け部に対する掛止部材の先端部の掛止が外れない。
このように、動物の足が、括り輪で括ることができる位置で、なおかつ掛止部材が変形することで掛止部材の先端部が受け部から外れるだけの充分な踏力を以て踏まないと、括り罠本体の固定アームと跳上げアームの先端に対する係合部の係合を解除することができないため、結果的に動物罠は作動しない。
【００２３】
したがって、動物罠用トリガー装置によれば、動物の捕獲に成功する可能性が高い条件下、すなわち動物の足が括り輪で括ることができる位置にあり、かつ掛止部材が変形することで掛止部材の先端部が受け部から外れるだけの充分な踏力を以て踏まれた場合にだけ、括り罠本体を作動させることができるので、動物罠を空作動させることなく動物を捕獲できる。
【００２４】
また、一方で、動物の捕獲に失敗する可能性が高い条件下、すなわち動物の足が括り輪で括ることができない位置にある場合、または足が括り輪で括ることができる位置にあっても、掛止部材が変形することで掛止部材の先端部が受け部から外れるだけの充分な踏力を以て踏まなかった場合は、動物罠の作動を止めることができる。
このように、本発明によれば、動物罠の空作動が起こりにくくなり、捕獲率の向上を図ることができる。
【００２５】
（６）本発明の動物罠は、上部に開口部を有する箱型で、前記括り罠本体を設置する設置部と、前記開口部側に前記括り輪を内掛けするワイヤ掛けを有し、前記受け部は前記設置部と反対側に設けられている仕掛け補助具を備える構成とすることもできる。
【００２６】
この場合は、仕掛け補助具が箱型であり、括り罠本体の設置部に対する受け部の位置も決まっているので、括り罠本体と動物罠用トリガー装置及び仕掛け補助具を組み合わせて罠を仕掛けたときに、受け部に渡された止め部材の先端部の受け部に対する掛かり具合に変化やズレが生じにくく、動物罠は、当初設定の通りに安定して作動する。
【００２７】
また、獣道等に設ける仕掛け穴は、仕掛け補助具が安定よく収まればよいので、それほど正確に形成する必要はなく、動物罠の仕掛け作業を短時間で行うことができる。これにより、罠を仕掛ける現場に人間の臭いを極力残さないようにすることができ、この点でも捕獲率の向上に寄与できる。
【００２８】
本明細書及び特許請求の範囲にいう「仕掛け穴の縁部の受け部」の文言は、例えば地面に掘った仕掛け穴の開口縁等に埋設等により固定された木板や金属板等の受け部材の上面縁、或いは地面に掘った仕掛け穴に収容するようにして埋設される金属製やプラスチック製のボックス状の仕掛け補助具の開口縁等を含む意味で使用している。
【００２９】
落とし孔の開口部の形状は、特に限定するものでなく、例えば円形、楕円形、四角形等の各種多角形であるが、異形のものであってもよい。また、ペダル部の先端部に、例えば板状の踏受部を有するものでは、動物の足の踏み込みによるペダル部の下方への移動を円滑にする上では、踏受部の大きさを落とし孔と同じか、より小さくするのが好ましい。
【発明の効果】
【００３０】
本発明は、動物罠用トリガー装置を足括り罠と組み合わせて仕掛けたときに、トリガー部のペダル部の周りに土や草等が入り込んでも、その土や草が、ペダル部に動物の踏力が作用したときのトリガー部の作動の邪魔になることがない、動物罠用トリガー装置、及びそれを使用した動物罠を提供することができる。
【図面の簡単な説明】
【００３１】
【図１】本発明に係る動物罠用トリガー装置の一実施の形態を示す斜視図である。
【図２】図１に示す動物罠用トリガー装置の平面図である。
【図３】図１に示す動物罠用トリガー装置の左側面図である。
【図４】図１におけるＡ−Ａ断面図である。
【図５】本発明に係る動物罠の一実施の形態を示すと共に、仕掛け補助具を使用して仕掛けた状態を示す縦断面説明図である。
【図６】図５に示す動物罠の仕掛けた状態を示す上面視説明図である。
【図７】動物罠の動きを説明し、（ａ）は仕掛けた状態の縦断面説明図、（ｂ）はペダル部が動物に踏まれて作動した状態の縦断面説明図である。
【図８】動物罠を仕掛け補助具を使用せず直接穴に仕掛けた状態を示し、（ａ）は上面視説明図、（ｂ）は縦断面説明図である。
【発明を実施するための形態】
【００３２】
図１ないし図５を参照して、本発明の実施の形態を更に詳細に説明する。なお、場所または方向を表す説明において、「前後」、「左右」の用語を使用する場合があるが、各図において右側が前、左側が後に対応し、下側が左、上側が右に対応するものである。
【００３３】
動物罠用トリガー装置Ｔは、係合部１、受け部材２、トリガー部３を備えている。
係合部１は金属製で、後で説明する足括り罠６の固定アーム６１と跳上げアーム６２を閉じた状態で両アーム先端に係合し、固定アーム６１と跳上げアーム６２が閉じた状態を維持することができる。係合部１は、固定アーム６１先端に掛ける掛部１１と、跳上げアーム６２先端に掛ける掛部１２を有する本体１０と、本体１０に角度調節自在に取り付けられている取付台具１３を有している。
【００３４】
取付台具１３には、金属製で四角形の板状の受け部材２が、取付具２１を介して取り付けられている。受け部材２は、動物の足で踏まれても変形しにくい充分な剛性と強度を有している。取付具１４は断面Ｌ状の板体で、所定の長さ（受け部材２の左右幅とほぼ同じ長さ）を有し、その縦板（符号省略）の両端部には上方へ突出した掛け爪１５を有している。掛け爪１５には、後述するワイヤロープ６９の括り輪６９０が外掛けされる。
【００３５】
受け部材２は、後で説明する掛止部材３０と重ねられて、取付具１４の横板（符号省略）に螺子着されている。受け部材２の幅方向の両端辺部は、全長にわたり同幅で上方へやや傾斜させてあり、受け部材２の剛性が高められている。受け部材２の長さ（図２で上下方向の長さ）は、後で説明する仕掛け補助具５の開口部の差し渡しよりやや短く形成されている（図５等参照）。
【００３６】
受け部材２の中央よりやや取付具１４寄りには、四角形の落とし孔２４が表裏面を貫通して形成されている。落とし孔２４の左右の各辺は、受け部材２の左右の各辺と平行に形成され、落とし孔２４の前後の各辺は、受け部材２の前後の各辺と平行に形成されている。落とし孔２４の大きさは、特に限定されず、受け部材２が上記のように充分な剛性を有する範囲内であれば、適宜設定が可能である。
【００３７】
受け部材２の長さ方向の先端部には、金属製の長さ調節部材２０が進退調節可能に取り付けられている。長さ調節部材２０は、受け部材２の幅よりやや短い左右長を有している。長さ調節部材２０の左右側の先端部には、下方へ直角に曲げられた振れ止め片２１が設けられている。各振れ止め片２１の間隔は、後で説明する掛止部材３０が入るように掛止部材３０の左右幅より若干広く形成されている。
【００３８】
また、長さ調節部材２０の後部側の左右端寄りには、それぞれ螺子孔（符号省略）が形成されている。更に、受け部材２の先端寄り、かつ左右端寄りには、前後方向に長い長孔２６が設けられている。各長孔２６の間隔は、長さ調節部材２０の各螺子孔の間隔と同じに設定されている。そして、長さ調節部材２０は、受け部材２の下面側に接して配され、各長孔２６を通して螺子３１を長さ調節部材２０の各螺子孔に螺着して固定することができる。
【００３９】
この構造により、長さ調節部材２０は、長孔２６の長さの範囲内において、前後方向の位置の調節が可能であり、前後方向の長さが変わらない掛止部材３０先端部の長さ調節部材２０先端（実質的に受け部材２の先端）からの突出長を調節することが可能である。この調節により、後で説明するように掛止部材３０の変形量が変わるので、動物罠が作動する感度を調節することができる。また、掛止部材３０の先端寄りの部分は、長さ調節部材２０の各振れ止め片２１に挟まれており、横振れを防止できるので、作動時において掛止部材３０の挙動が安定する。
【００４０】
上記したトリガー部３は、可撓性を有する金属板で形成された長方形状の掛止部材３０と、ペダル部を構成する金属製のペダル脚３２と、ペダル脚３２の先端に固定されている同じく金属製の踏受板３３を有している。掛止部材３０は、上記したように、基端側が受け部材２と共に、取付台具１３に固定されており、受け部材２の裏面に接している。掛止部材３０は、左右方向の幅が受け部材２よりやや狭く、かつ落とし孔２４よりやや広く形成されている。
【００４１】
また、掛止部材３０の前後方向の長さは、受け部材２よりやや長く形成されており、図１に示すように長さ調節部材２０の先端からやや突出させてある。掛止部材３０の長さは、後述するように仕掛け補助具５と組み合わせてセットしたときに、仕掛け補助具５の開口部の縁にある掛止受部５０に届いて上から掛止することができる長さに設定されている（図５、図６参照）。
【００４２】
掛止部材３０の上面には、常態（外力が作用していない通常状態）において落とし孔２４のほぼ中央部に対応する位置に、落とし孔２４を貫通して、ペダル脚３２が着脱可能に螺子着されている。ペダル脚３２は、掛止部材３０に対し直角に固定されている。ペダル脚３２は、厚手の板体を立てた形態であり、上面３２０は受け部材２の先端方向へ所要角度（本実施の形態では、掛止部材３０の上面に対し約１０°）で上り傾斜するように設けられている。
【００４３】
傾斜した上面３２０には、踏受部である踏受板３３が上面３２０と同様に傾斜して、螺子着により固定されている。ペダル脚３２の踏受板３３は、動物の足が踏受板３３を踏み、トリガー部３が落ちると共に、受け部材２が係合部１側を中心として回動しながら落ちる際に、踏受板３３の上面に接触した動物の足が滑りにくく、掛かりやすい方向へ傾斜している。これにより、ペダル脚３２は動物の足でより深く踏み込まれることになり、足括り罠６がより確実に作動し、捕獲率も向上する。
【００４４】
また、踏受板３３の形状は、落とし孔２４と同様に四角形状であり、落とし孔２４より小さく形成されている。そして、トリガー部３が係合部１側を中心として回動するように落ちたときに、踏受板３３は落とし孔２４を通り抜けることができ、掛止部材３０は掛止受部５０から外れ、動物罠用トリガー装置Ｔは、後述する括り罠本体６を作動させた後、穴底に落ちる。なお、踏受板３３と掛止部材３０の間隔を変えることで、掛止部材３０の先端部の掛止が外れる感度の調節が可能である。
【００４５】
（作用）
図１ないし図５を参照して、動物罠用トリガー装置Ｔ及び動物罠Ｗの作用を説明する。
動物罠Ｗは、動物罠用トリガー装置Ｔと、括り罠本体６及び仕掛け補助具５により構成されている。括り罠本体６は、基部側を回動可能に軸支された固定アーム６１と跳上げアーム６２を有し、両アーム６１、６２は、ねじりコイルバネ６３を介し開く方向に付勢されている。
【００４６】
固定アーム６１の先端部には滑車６４と掛かり部６５を有し、跳上げアーム６２の先端部には滑車６６と掛かり部６７を有している。また、固定アーム６１の先部寄りには、杭を固定する杭固定具６８が取り付けてある。そして、ワイヤロープ６９が滑車６４と滑車６６に通され、ワイヤロープ６９の先端部には括り輪６９０が形成されている。
【００４７】
仕掛け補助具５は、ステンレススチール製で、上下が開口し、平面視で四角形状の箱体である。仕掛け補助具５の後部側（図５において左側）の側板には、括り罠本体６を取り付けるための取付部５１が固定されている。取付部５１より上方の開口部の左右側には、括り輪６９０を内掛けするワイヤ掛け５２が設けられている。そして、取付部５１とは反対側の側板５３上端が掛止受部５０となっている。
【００４８】
そして、動物罠Ｗは次のようにして獣道に仕掛けられる（図５参照）。
獣道７の適当な箇所に仕掛け穴７０が形成され、仕掛け穴７０に仕掛け補助具５が安定するようにして収容される。動物罠用トリガー装置Ｔは、括り罠本体６の固定アーム６１と跳上げアーム６２をねじりコイルバネ６３の付勢力に抗して閉じ、係合部１の掛部１１、１２で固定アーム６１の掛かり部６５と跳上げアーム６２の掛かり部６７を係合してセットされている。
【００４９】
括り罠本体６の杭固定具６８には、杭６８０が固定され、仕掛け補助具５の取付部５１に杭固定具６８を載せるようにして杭６８０が土にたて込まれる。括り罠本体６の角度を斜面に合うように調節すると共に、仕掛け補助具５の内部側にある動物罠用トリガー装置Ｔの受け部材２を水平になるように、かつ掛止部材３０の先端部を仕掛け補助具５の掛止受部５０に渡すように載せて掛止する。
【００５０】
また、ワイヤロープ６９の括り輪６９０は、各掛け爪１５に外掛けし、ワイヤ掛け５２には内掛けする。この状態では、トリガー部３の踏受板３３の上端は、セットされた括り輪６９０とほぼ同じ高さにある。最後に、カムフラージュのために、あるいは金属臭をやわらげるために、土や草、あるいは木の葉等を全体に被せて、動物罠Ｗを仕掛け状態とする（図５、図６、図７（ａ）参照）。
【００５１】
そして、獣道７を移動するイノシシ等の動物の足８がワイヤロープ６９の括り輪６９０のほぼ中心部にある踏受板３３を上方から踏むことにより、ペダル脚３２は下降し、掛止部材３０を下方へ膨らむように撓み変形させる（図７（ｂ）参照）。掛止部材３０は、先端部が掛止受部５０に対し自由に動けるように載せて掛止された状態で上記のように変形し、踏受板３３が動物の足８で更に充分な踏力を以て踏まれることにより、ついには先端部の掛止受部５０に対する掛止が外れ、動物罠用トリガー装置Ｔは落ちる（図７（ｂ）参照）。
【００５２】
このとき、仕掛け時において、落とし孔２４の大きさを占めるように落とし孔２４を通して掛止部材３０に乗っていた土や草は、踏受板３３と掛止部材３０の間に挟まれることはなく、よってペダル脚３２の下降を邪魔することはない。すなわち、上記土や草は、掛止部材３０が下方へ移動するのに伴って、図７（ｂ）に点線矢印ａで示すように、開口する落とし孔２４を通って下へ落ちるので、ペダル脚３２が踏受板３３と共に動物の足８の踏力によって下降する際の邪魔にはなりにくい。これにより、動物罠用トリガー装置Ｔの係合部１による両アーム６１、６２先端の係合が解除されて括り罠本体６が作動する。
【００５３】
なお、括り罠本体６の作動時には、動物の足８が、括り輪６９０で括ることができる位置である踏受板３３に触れていることにより、動物の足８は、当然に掛止部材３０を囲むようにセットされるワイヤロープ６９の括り輪６９０の中央近辺に位置することになる。また、動物の足８は、充分な踏力を以て踏んでいるので、動物罠用トリガー装置Ｔが落ちるのに伴い、足８が仕掛け補助具５の内部に深く入り、ワイヤロープ６９の括り輪６９０で脚の元部が括られることとも相まって、動物をより確実に捕獲することができる。
【００５４】
さらに、仕掛け補助具５がステンレススチール製の箱であり、取付部５１に対する掛止受部５０の位置も決まっているので、括り罠本体６と動物罠用トリガー装置Ｔ及び仕掛け補助具５を組み合わせて罠を仕掛けたときに、掛止受部５０に渡された掛止部材３０の先端部の掛止受部５０に対する掛かり具合に変化やズレが生じにくく、動物罠Ｗは当初設定の通りに安定して作動する。
【００５５】
また、動物の足８が踏受板３３に触れないところ（例えば受け部材２）を踏んだとき、或いは踏受板３３を踏んでも充分でない踏力を以て踏んだときには、掛止部材３０の変形（撓み）が大きくならないので、掛止受部５０に対する掛止部材３０の先端部の掛止が外れにくく、括り罠本体６が作動することはない。このように、動物の捕獲に失敗する可能性が高い条件下では、括り罠本体６が作動しないため、動物罠Ｗの空作動を防止できる。
【００５６】
図８を参照する。
動物罠Ｗａは、動物罠Ｗとは相違して、仕掛け補助具５を使用せず、動物罠用トリガー装置Ｔａと、括り罠本体６による構成である。
動物罠用トリガー装置Ｔａは、ペダル脚３２ａが上記ペダル脚３２より上下方向に短く、踏受板３３ａが上記踏受板３３ａより傾斜をやや緩くした構成である。このように、ペダル脚の高さが異なるものを複数用意しておき、例えば捕獲対象となる動物の種類に合わせるなど、状況により、付け替えて使用することが可能である。
【００５７】
短いペダル脚３２ａを使用することにより、動物の足８がワイヤロープ６の括り輪６９０に入ってから罠が作動するまでの時間をやや遅くしており、充分に動物の足８が落ち込んだ後のタイミングで罠が作動するので、捕獲率の更なる向上が期待できるものである。
【００５８】
また、動物罠Ｗａを仕掛ける際には、上記仕掛け補助具５を使用した場合と同様に、獣道７の適当な箇所に仕掛け穴７０が形成され、仕掛け穴７０の一端側（図８で右端部）の穴縁の適当な高さに受け木７１が水平に固定される。受け木７１は、両端側に形成した切欠部７１０に杭７２を打ち込んで、水平方向には動かないように簡易的に固定されている。なお、杭７２を使用せず、受け木のみを穴縁に乗せて使用することもできる。
【００５９】
動物罠用トリガー装置Ｔａは、上記と同様に、括り罠本体６の固定アーム６１と跳上げアーム６２をねじりコイルバネ６３の付勢力に抗して閉じ、係合部１の掛部１１、１２で固定アーム６１の掛かり部６５と跳上げアーム６２の掛かり部６７を係合してセットされている。
【００６０】
括り罠本体６の杭固定具６８には、杭６８０が固定され、杭６８０が土にたて込まれる。また、この際には、括り罠本体６の角度を斜面に合うように調節すると共に、動物罠用トリガー装置Ｔａの受け部材２を水平になるように、かつ掛止部材３０の先端部を受け木７１の掛止受部７１１に渡すように載せて掛止する。
【００６１】
そして、ワイヤロープ６９の括り輪６９０は、各掛け爪１５に外掛けし、受け部材２を囲むように形を円形に整える。この状態では、トリガー部３の踏受板３３の上端は、セットされた括り輪６９０よりやや低い高さにある。最後に、土や草、あるいは木の葉等を全体に被せて、動物罠Ｗａを仕掛け状態とする。
なお、この動物罠Ｗａの作用については、仕掛け補助具５を使用せず、掛止受部５０が掛止受部７１１に置き換わるだけで、他は上記動物罠Ｗと実質的に同様であるので、ここでは説明を省略する。
【００６２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６３】
Ｔ  動物罠用トリガー装置
１  係合部
１０  本体
１１  掛部
１２  掛部
１３  取付台具
１４  取付具
１５  掛け爪
２  受け部材
２０  長さ調節部材
２１  振れ止め片
２４  落とし孔
２６  長孔
３  トリガー部
３０  掛止部材
３１  螺子
３２  ペダル脚
３２０  上面
３３  踏受板
５  仕掛け補助具
５０  掛止受部
５１  取付部
５２  ワイヤ掛け
５３  側板
６  足括り罠
６１  固定アーム
６２  跳上げアーム
６３  ねじりコイルバネ
６４  滑車
６５  掛かり部
６６  滑車
６７  掛かり部
６８  杭固定具
６９  ワイヤロープ
６９０  括り輪
Ｗ  動物罠
７  獣道
７０  仕掛け穴
Ｗａ  動物罠
Ｔａ  動物罠用トリガー装置
３２ａ  ペダル脚
３３ａ  踏受板
７１  受け木
７１０  切欠部
７１１  掛止受部
７２  杭
８  動物の足
【図１】
0006440264.tif 000002
【図２】
0006440264.tif 000003
【図３】
0006440264.tif 000004
【図４】
0006440264.tif 000005
【図５】
0006440264.tif 000006
【図６】
0006440264.tif 000007
【図７】
0006440264.tif 000008
【図８】
0006440264.tif 000009